(57)【要約】  超広帯域の無線通信方式を利用した無線オーディオ送受信方法が提供される。該方法は、ビーコンフレームを抽出及び分析し、他の超広帯域送信装置及び隣接無線オーディオ送信装置により予め予約された予約伝送区間情報、及びオーディオソース及びチャネルに対する情報を生成するステップと、前記他の超広帯域送信装置のオーディオソース及びチャネルに対する情報を用いて、オーディオソースの各チャネルにより使用される利用可能伝送区間を算出して伝送区間を予約するステップと、前記予約伝送区間情報、オーディオソース及びチャネル情報を用いてビーコンフレームを生成して伝送するステップと、前記予約伝送区間において、オーディオソース及びオーディオチャネル単位でオーディオ信号を伝送するステップと、前記ビーコンフレームを抽出及び分析してオーディオソース及びチャネル情報、及び予約伝送区間情報を生成するステップと、前記オーディオソース及び情報をユーザに提供するステップとを含む。
2009543506.tif 000002
【特許請求の範囲】
【請求項１】
超広帯域（ＵＷＢ）の無線通信方式を利用した無線オーディオ送受信システムであって、
ビーコンフレームに示された予約伝送区間でオーディオ信号をチャネルごとに伝送する無線オーディオ送信装置と、
受信した前記ビーコンフレームからオーディオソース、オーディオチャネル、出力ボリューム、及び前記予約伝送区間についての情報を収集し、前記予約伝送区間からオーディオ信号を抽出し、抽出されたオーディオ信号をスピーカへ送信する無線オーディオ受信装置と
を備えたことを特徴とする無線オーディオ送受信システム。
【請求項２】
前記無線オーディオ送信装置が、
超広帯域送受信装置を介して入力された他の超広帯域送信装置及び／または無線オーディオ送信装置のビーコンフレームを抽出及び分析し、前記他の超広帯域送信装置及び無線オーディオ送信装置のオーディオソース、オーディオチャネル、及び予約伝送区間に対する情報を生成する第１ビーコン抽出／分析部と、
前記オーディオソース、オーディオチャネル、前記他の超広帯域送信装置及び／または無線オーディオ送信装置により予め予約された予約伝送区間に対する情報を確認し、１つ以上の入力オーディオソースにより使用される利用可能伝送区間を算出して伝送区間を予約する伝送区間予約管理部と、
該伝送区間予約管理部から入力された予約伝送区間情報と、前記チャネル分析手段及びデジタルオーディオ信号変換手段から入力されたオーディオ信号のソース及びチャネルに対する情報とを用いて、ビーコンフレームを生成して出力するビーコン生成部と、
前記伝送区間予約管理部の制御信号に従って、チャネル分析部、アナログ／デジタルオーディオ変換部、及び前記ビーコン生成手段から入力された信号を多重化して前記超広帯域送受信装置に伝達する多重化部と
を備えたことを特徴とする請求項１に記載の無線オーディオ送受信システム。
【請求項３】
前記無線オーディオ受信装置が、
前記超広帯域受信装置から入力された前記１つ以上の無線オーディオ送信装置のビーコンフレームを抽出及び分析し、オーディオソース、オーディオチャネル、及び予約伝送区間に対する情報を収集する第２ビーコン抽出／分析部と、
該第２ビーコン抽出／分析部により収集されたオーディオソース、オーディオチャネル、及び予約伝送区間に対する情報をユーザに提供し、ユーザにより選択されたオーディオソース及びオーディオチャネルに対する情報を受け取るユーザインタフェースと、
前記第２ビーコン抽出／分析部により生成された情報と、前記ユーザインタフェースを介して選択された情報とを基に、予約伝送区間で選択されたオーディオ信号を抽出するようオーディオ抽出部を制御する伝送区間選択部と
を備えたことを特徴とする請求項２に記載の無線オーディオ送受信システム。
【請求項４】
前記伝送区間予約管理部が、オーディオチャネルごとに媒体アクセススロット（ＭＡＳ）を用いて伝送区間を予約することを特徴とする請求項１に記載の無線オーディオ送受信システム。
【請求項５】
前記ビーコン生成部において、前記ビーコンフレームが、ユーザの応用目的に応じて定義され得る少なくとも１つ以上のＡＳＩＥ（Ａｐｐｌｉｃａｔｉｏｎ  Ｓｐｅｃｉｆｉｃａｔｉｏｎ  Ｉｎｆｏｒｍａｔｉｏｎ  Ｅｌｅｍｅｎｔ）が含まれ、
該ＡＳＩＥにおいて、前記予約伝送区間情報が１つのビットで表現されるビットマップ形態で表示されることを特徴とする請求項４に記載の無線オーディオ送受信システム。
【請求項６】
超広帯域の無線通信方式を利用したオーディオ信号の送受信方法において、
（ａ）他の超広帯域送信装置及び／または隣接無線オーディオ送信装置からビーコンフレームを受信すると、前記ビーコンフレームを抽出及び分析し、前記他の超広帯域送信装置及び／または隣接無線オーディオ送信装置により予め予約された予約伝送区間情報、及びオーディオソース及びチャネルに対する情報を生成するステップと、
（ｂ）前記他の超広帯域送信装置及び／または隣接無線オーディオ送信装置のオーディオソース及びチャネルに対する情報及び前記予約伝送区間情報を用いて、オーディオソースの各チャネルにより使用される利用可能伝送区間を算出して伝送区間を予約するステップと、
（ｃ）前記予約伝送区間情報、オーディオソース、及びチャネル情報を用いてビーコンフレームを生成して伝送するステップと、
（ｄ）前記予約伝送区間において、オーディオソース及びオーディオチャネル単位でオーディオ信号を伝送するステップと、
（ｅ）前記伝送されたビーコンフレームを受信すると、前記ビーコンフレームを抽出及び分析してオーディオソース、チャネル情報、及び予約伝送区間情報を収集するステップと、
（ｆ）前記オーディオソース及びチャネル情報をユーザに提供し、ユーザによりオーディオソース及びチャネル情報が選択されると、前記選択された予約伝送区間でオーディオ信号を抽出して出力するステップと
を含むことを特徴とするオーディオ信号の送受信方法。
【請求項７】
前記ステップ（ａ）において、他の超広帯域送信装置及び／または隣接無線オーディオ送信装置のビーコンフレームを受信しなければ、伝送するオーディオソースの各チャネルにより使用される伝送区間を予約するステップを更に含むことを特徴とする請求項６に記載のオーディオ信号の送受信方法。
【請求項８】
前記ステップ（ｆ）の後に、前記ビーコンフレームにおいて、抽出及び分析された前記オーディオ信号のボリューム情報に従ってスピーカのボリュームを調整するステップを更に含むことを特徴とする請求項６に記載のオーディオ信号の送受信方法。
【発明の詳細な説明】
【技術分野】
【０００１】
本発明は、超広帯域（Ｕｌｔｒａ  ＷｉｄｅＢａｎｄ：ＵＷＢ）の無線通信方式を利用した無線オーディオ送受信装置及びオーディオ信号の送受信方法に関し、詳細には、無線オーディオ送信装置がビーコンフレーム及び予約伝送区間を用いてデジタルオーディオ信号をチャネルごとに伝送し、無線オーディオ受信装置が前記ビーコンフレームを受信して無線オーディオ送信装置、オーディオソース、オーディオチャネル、出力ボリューム、予約伝送区間を確認し、オーディオソースの予約伝送区間でオーディオ信号を抽出して、ユーザにより選択されたオーディオチャネルを出力する、超広帯域の無線通信方式を利用した無線オーディオ送受信システム及び方法に関する。
【背景技術】
【０００２】
最近、オーディオ・システムは、より現実感のある音響のために、単一ソースからのオーディオチャネル数が増加しつつあり、新しくて多様なデジタルメディアの普遍及びそれに適合した各種の端末装置の登場によって、各々のオーディオ再生のためのスピーカ／イヤホンなどが持続的に登場している。
【０００３】
前記のような各種の端末装置を統合し、宅内で単一のオーディオ再生システムを構築できる方式として、従来のオーディオレシーバ（ａｕｄｉｏ  ｒｅｃｅｉｖｅｒ）を使用する方式がある。前記オーディオレシーバは、各種のオーディオソース（ＴＶ、ＣＤプレーヤ、ＤＶＤプレーヤ、ＭＰ３プレーヤ、ＦＭ／ＡＭチューナ、カセットプレーヤなど）から各々のオーディオ信号が入力され、ユーザにより選択された前記オーディオ信号の中の１つを増幅させて１つ以上のスピーカに出力する。
【０００４】
前述したように、前記オーディオ・システムは、現実的な音響のために過去の単純なステレオ方式を越えて、４．１、５．１、６．１、７．１チャネルなどのように、１つのオーディオソースからのオーディオチャネルが増加すると同時に、チャネルごとに存在しなければならないスピーカの数も共に増加する。これにより、増加したスピーカの宅内の配線及び配置が困難になる。
【０００５】
つまり、多チャンネルスピーカが備えられたオーディオ・システムにおいて、各スピーカは、１つのアンプまたはアンプを内蔵したＡ／Ｖレシーバに有線または無線で接続する。すなわち、前記オーディオ・システムは、フロントスピーカの場合、配線の配置が比較的容易なことから有線方式を使用し、リヤスピーカ／サテライトスピーカの場合、無線方式を使用する。このようなことが、スピーカの配置を更に容易にする製品の登場をもたらす。
【０００６】
また、前記製品の中には、スピーカの形態でない無線ヘッドホン形態の製品も登場している。無線ヘッドホンの据置台の形態を有する送信装置は、オーディオレシーバの出力信号を無線（ＲＦまたはＩＲ方式）に変換して無線ヘッドホンに伝送する。しかし、これらの製品は、全ての入力オーディオ信号をアナログ信号に変換した後、当該アナログ信号を無線周波数方式（ＲＦ方式）または赤外線方式（ＩＲ方式）で伝送するが、送受信機間の距離／方向性／障害物により受信信号の品質に変化が生じ得、これは再生音質の低下として現れる。
【０００７】
また、前記製品は、デジタルオーディオソースをアナログ信号に変換した後、伝送するため、オーディオソースでデジタルオーディオソースが有する品質は再生時点までそのまま維持されない。
【０００８】
また、前記製品は、送信機とスピーカ（またはヘッドホン）とが常に一組となるように構成されているため、相異なる機種間の相互連動が行なわれず、したがって、宅内に存在するスピーカ（またはヘッドホン）の総数を減らせていないのが現実である。
【０００９】
前記問題を解決するための方案の１つとして、全てのスピーカ出力装置の場合、電源の入力が必須事項であるという点に着眼し、イーサネット（登録商標）のような有線ネットワークまたはＰＬＣ（Ｐｏｗｅｒ  Ｌｉｎｅ  Ｃｏｍｍｕｎｉｃａｔｉｏｎ）を利用したネットワークを介してオーディオ信号を送受信する方式が提案されている。
【００１０】
しかし、有線ネットワークまたはＰＬＣが、ＩＰ基盤のネットワークを必要とするため、プロトコルが比較的に複雑で、かつ装置が増加することに伴うＩＰの管理における難しさが存在する。さらには、前記有線ネットワーク方式またはＰＬＣ方式は、ネットワーク上のトラフィックが増加した場合、希望のトラフィック伝送の品質が獲得し難い短所が存在する。
【００１１】
また、前記ＰＬＣ方式は、固有に持っている初期ＰＬＣネットワーク構成のための追加設備のコストの負担と、比較的低い伝送帯域幅とによりＰＬＣ方式を選択することにおいて短所として作用する。  
また、前記ＰＬＣ方式は、携帯用装置を接続するためには、携帯用装置を電源ラインに接続したり、別途の装置を介して電源ラインに接続する過程が必要であるため、携帯用装置の移動性を制限する。
【００１２】
したがって、従来のオーディオ・システムにおいて、多様なスピーカの配置及び配線を容易にし、オーディオ信号のオリジナルの品質を維持し、かつ多様な固定及び携帯用オーディオ再生装置が、既設のスピーカを用いてオーディオを自由に再生することができるよう改善される必要がある。
【発明の概要】
【発明が解決しようとする課題】
【００１３】
本発明の実施形態は、超広帯域の無線通信方式を利用した無線オーディオ送受信システム及びオーディオ信号の送受信方法を提供することをその目的とし、より詳細には、超広帯域の無線通信方式において、無線オーディオ送信装置がビーコンフレーム及び予約伝送区間を用いてデジタルオーディオ信号をチャネルごとに伝送し、無線オーディオ受信装置が、前記ビーコンフレームを受信して無線オーディオ送信装置、オーディオソース、オーディオチャネル、出力ボリューム、及び予約伝送区間を確認し、オーディオソースの予約伝送区間でオーディオ信号を抽出して、ユーザにより選択されたオーディオチャネルを出力する、超広帯域の無線通信方式を利用した無線オーディオ送受信装置及びオーディオ信号の送受信方法を提供することをその目的とする。
【００１４】
本発明の他の目的及び長所は、下記の説明により理解することができ、本発明の実施形態によって更に明らかに理解できるであろう。また、本発明の目的及び長所は、特許請求の範囲に示す手段及びその組合せにより実現できることが容易に分かるであろう。
【課題を解決するための手段】
【００１５】
本発明の一側面によれば、ビーコンフレームに示された予約伝送区間でオーディオ信号をチャネルごとに伝送する無線オーディオ送信装置、及びビーコンフレームからオーディオソース、オーディオチャネル、出力ボリューム、及び予約伝送区間についての情報を収集し、ユーザによって選択された予約伝送区間からオーディオ信号を抽出し、抽出されたオーディオ信号をスピーカへ送信する無線オーディオ受信装置を含む無線オーディオ送受信システムが提供される。
【００１６】
本発明の別の側面によれば、超広帯域の無線通信方式を利用したオーディオ信号の送受信方法が提供される。該方法は、（ａ）他の超広帯域送信装置及び／または隣接無線オーディオ送信装置からビーコンフレームを受信すると、前記ビーコンフレームを抽出及び分析し、前記他の超広帯域送信装置及び／または隣接無線オーディオ送信装置により予め予約された予約伝送区間情報、及びオーディオソース及びチャネルに対する情報を生成するステップと、（ｂ）前記他の超広帯域送信装置及び／または隣接無線オーディオ送信装置のオーディオソース及びチャネルに対する情報及び前記予約伝送区間情報を用いて、オーディオソースの各チャネルにより使用される利用可能伝送区間を算出して伝送区間を予約するステップと、（ｃ）前記予約伝送区間情報、オーディオソース及びチャネル情報を用いてビーコンフレームを生成して伝送するステップと、（ｄ）前記予約伝送区間において、オーディオソース及びオーディオチャネル単位でオーディオ信号を伝送するステップと、（ｅ）前記伝送されたビーコンフレームを受信すると、前記ビーコンフレームを抽出及び分析してオーディオソース及びチャネル情報、及び予約伝送区間情報を収集するステップと、（ｆ）前記オーディオソース及び情報をユーザに提供し、ユーザによりオーディオソース及びチャネル情報が選択されると、前記選択された予約伝送区間でオーディオ信号を抽出して出力するステップとを含む。
【発明の効果】
【００１７】
本発明は、最高のオーディオ品質を維持したまま、無線オーディオ送受信システムの宅内での配置および配線をより容易に構成可能とし、これにより、オーディオ送信装置及び受信装置の物理的な配置の制約を排除する。
【００１８】
さらに、本発明は、無線オーディオ送信装置が予め構成された超広帯域のネットワークを用いたリンクで動作することを可能にする。
【００１９】
さらに、本発明は、ビーコンフレームを送信しない無線オーディオ受信装置を用い、つまり、予め構成された超広帯域のネットワーク帯域幅を追加的に使用することなく無線オーディオ受信装置の数を増加させることができる。
【００２０】
さらには、本発明は、追加配線なしで、無線オーディオ送信装置を内蔵した携帯型オーディオ再生装置が予め配置された無線オーディオ受信装置を使用することを可能にし、これにより、各種オーディオソース及びオーディオチャネルを選択できる無線スピーカを提供する。
【図面の簡単な説明】
【００２１】
【図１】本発明に係る無線オーディオ送信装置に対する一実施形態の構成図である。
【図２】本発明に係る無線オーディオ受信装置に対する一実施形態の構成図である。
【図３】本発明が適用されるビーコンフレームに対する一実施形態の説明図である。
【図４】本発明で使用されるオーディオソース情報リストに対する一実施形態の説明図である。
【図５】本発明に係る超広帯域の無線通信方式を利用したオーディオ信号の送信方法に対する一実施形態のフローチャートである。
【図６】本発明に係る超広帯域の無線通信方式を利用したオーディオ信号の受信方法に対する一実施形態のフローチャートである。
【発明を実施するための形態】
【００２２】
前述した目的、特徴、及び長所は、添付の図面と関連した次の詳細な説明を介してより明確になり、それに伴って、本発明が属する技術分野において通常の知識を有する者が本発明の技術的な思想を容易に実施できるであろう。また、本発明を説明することにおいて、本発明と関連した公知の技術に対する具体的な説明が本発明の要旨を不要に濁すものと判断される場合、その詳細な説明を省略する。以下、添付された図面を参照して本発明に係る好ましい一実施形態を詳説する。
【００２３】
図１は、本発明に係る無線オーディオ送信装置１００に対する一実施形態の構成図である。
【００２４】
同図に示すように、本発明に係る無線オーディオ送信装置１００は、デジタルオーディオ信号入力部１０１、チャネル分析部１０２、アナログオーディオ信号入力部１０３、デジタルオーディオ信号変換部１０４、超広帯域送受信部１０５、第１ビーコン抽出／分析部１０６、伝送区間予約管理部１０７、ビーコン生成部１０８、及び多重化（ＭＵＸ）部１０９を備える。
【００２５】
デジタルオーディオ信号入力部１０１は、異なるデジタルオーディオソース（例えば、ＴＶ、ＣＤプレーヤ、ＤＶＤプレーヤ、ＭＰ３プレーヤ、ＦＭ／ＡＭラジオなど）から１つ以上のオーディオチャネルが混合しているデジタルオーディオ信号を受信する。
【００２６】
チャネル分析部１０２は、前記デジタルオーディオ信号入力部１０１から入力されたデジタルオーディオ信号を各チャネル単位に分離して各チャネルごとの特性を分析する。
【００２７】
アナログオーディオ信号入力部１０３は、異なるアナログオーディオソースから１つ以上のオーディオチャネル単位として存在するアナログオーディオ信号を受信する。
【００２８】
デジタルオーディオ信号変換部１０４は、前記アナログオーディオ信号入力部１０３から入力されたアナログオーディオ信号を各チャネル単位別にデジタル変換を行う。
【００２９】
超広帯域送受信部１０５は、無線オーディオ送信装置１００が駆動すると超広帯域信号チャネルをスキャンする。このとき、前記超広帯域送受信部１０５は、隣接した無線オーディオ送信装置及び／または他の超広帯域送信装置のビーコンフレームを受信し、後述する第１ビーコン抽出／分析部１０６に伝達する。
【００３０】
また、超広帯域送受信部１０５は、後述する多重化部１０９から伝達されたオーディオ信号を超広帯域（ＵＷＢ；Ｕｌｔｒａ  Ｗｉｄｅ  Ｂａｎｄ）無線通信方式で変換して伝送する。
【００３１】
第１ビーコン抽出／分析部１０６は、超広帯域送受信部１０５を介して受信された隣接無線オーディオ送信装置及び／または他の超広帯域送信装置のビーコンフレームを抽出及び分析し、無線オーディオ送信装置の情報、オーディオソースの情報、オーディオチャネルの情報、オーディオ信号のコーデック情報、オーディオ信号出力のボリューム情報、及び予約伝送区間の情報（以下、オーディオソース情報リストと称する）を収集する。
【００３２】
伝送区間予約管理部１０７は、第１ビーコン抽出／分析部１０６から伝達されたオーディオソース情報リストを確認し、送信装置１００が有するオーディオソースが、オーディオ信号伝送のために使用し得る利用可能伝送区間を算出する。これを介して、前記伝送区間予約管理部１０７は、チャネル分析部１０２及びデジタルオーディオ信号変換部１０４から入力されたオーディオ信号の各チャネルを伝送するための利用可能伝送区間が存在すると、送信装置１００が有するオーディオソースが使用する各チャネルごとの伝送区間を予約する。
【００３３】
ここで、前記伝送区間予約管理部１０７は、媒体アクセススロット（Ｍｅｄｉｕｍ  Ａｃｃｅｓｓ  Ｓｌｏｔ；ＭＡＳ）を用いて伝送区間を予約する。前記媒体アクセススロットは公知の技術であって、当業者であれば容易に理解することができるため、詳説を省略する。
【００３４】
また、伝送区間予約管理部１０７は、後述する多重化部１０９を制御し、予約伝送区間に合せて該当のオーディオ信号が伝送されるよう制御する。
【００３５】
ビーコン生成部１０８は、チャネル分析部１０２及びデジタルオーディオ信号変換部１０４から入力されたオーディオ信号のチャネル特性情報（例えば、ビットレート（ｂｉｔ  ｒａｔｅ）、圧縮形式など）及びオーディオソース情報、及び伝送区間予約管理部１０７から入力されたオーディオ信号の予約伝送区間情報を用いて、超広帯域の無線通信方式に係るビーコンフレーム（ｂｅａｃｏｎ  ｆｒａｍｅ）を生成する。前記ビーコンフレームは、後述する図３を参照して具体的に説明する。
【００３６】
多重化部１０９は、伝送区間予約管理部１０７からの多重化制御信号によりチャネル分析部１０２、デジタルオーディオ信号変換部１０４、及びビーコン生成部１０８から入力された信号を多重化して超広帯域送受信部１０５に出力する。
【００３７】
図２は、本発明に係る無線オーディオ受信装置２００に対する一実施形態の構成図である。
【００３８】
図２に示すように、本発明に係る無線オーディオ受信装置２００は、超広帯域受信部２０１、第２ビーコン抽出／分析部２０２、ディスプレイ部２０３、ユーザ入力部２０４、伝送区間選択部２０５、オーディオ信号抽出部２０６、アナログオーディオ信号変換部２０７、及びスピーカ駆動部２０８を備える。
【００３９】
超広帯域受信部２０１は、無線オーディオ送信装置１００または他の超広帯域送信装置オーディオ信号及びビーコンフレームを受信する。
【００４０】
第２ビーコン抽出／分析部２０２は、超広帯域受信部２０１から入力された無線オーディオ送信装置１００のビーコンフレームを抽出及び分析してオーディオソース情報リストを生成する。すなわち、前記第２ビーコン抽出／分析部２０２は、前記無線オーディオ送信装置１００のオーディオソース情報リストである無線オーディオ送信装置の情報、オーディオソースの情報、オーディオチャネルの情報、オーディオ信号のコーデック情報、オーディオ信号出力のボリューム情報、及び予約伝送区間の情報を生成する。その後、前記オーディオソース情報リストは、図４を参照して具体的に説明する。
【００４１】
また、前記第２ビーコン抽出／分析部２０２は、オーディオソース情報リストをディスプレイ部２０３及び伝送区間選択部２０５に提供する。
【００４２】
ディスプレイ部２０３は、前記第２ビーコン抽出／分析部２０２で生成されたオーディオソース情報リストを人間が読み取れるフォーマットでユーザに提供する。
【００４３】
ユーザ入力部２０４は、ディスプレイ部２０３を介して提供されたオーディオソース情報リストからオーディオソースの情報及びオーディオチャネルの情報をユーザに提供する。すなわち、前記ユーザ入力部２０４は、ユーザによりオーディオソース及びオーディオチャネルが選択され得るよう、インタフェース（ｉｎｔｅｒｆａｃｅ）を提供する。このとき、前記ユーザ入力部２０４は、ユーザにより選択されたオーディオソース及びオーディオチャネル情報を伝送区間選択部２０５に伝達する。
【００４４】
伝送区間選択部２０５は、第２ビーコン抽出／分析部２０２からオーディオソース情報リストが入力され、ユーザ入力部２０４からユーザにより選択されたオーディオソース及びオーディオチャネル情報が入力される。このとき、前記伝送区間選択部２０５は、オーディオソース情報リストからユーザにより選択されたオーディオソース及びオーディオチャネルの予約伝送区間に応じて、後述するオーディオ信号抽出部２０６を制御し、該当の予約伝送区間でオーディオ信号が抽出されるようにする。
【００４５】
また、前記伝送区間選択部２０５は、オーディオソース情報リストから該当のオーディオ信号のボリューム情報を抽出し、後述するスピーカ駆動部２０８を制御して出力ボリュームを調整する。
【００４６】
オーディオ信号抽出部２０６は、前記伝送区間選択部２０５の制御により前記超広帯域受信部２０１から入力されるオーディオ信号の中から、ユーザにより選択されたオーディオソース及びオーディオチャネルに該当するオーディオ信号を抽出する。
【００４７】
アナログオーディオ信号変換部２０７は、前記オーディオ信号抽出部２０６から抽出されたオーディオ信号をアナログ信号に変換する。
【００４８】
スピーカ駆動部２０８は、前記アナログオーディオ信号変換部２０７から伝達されたアナログ信号を用いてスピーカを駆動する。このとき、前記スピーカ駆動部２０８は、伝送区間選択部２０５から受信したボリューム情報を用いてスピーカボリュームを制御する。
【００４９】
図３は、本発明が適用されるビーコンフレームに対する一実施形態の説明図である。
同図に示すように、本発明が適用されるビーコンフレームは、超広帯域の無線通信方式において使用され、ＭＡＣヘッダ３０１、ビーコンパラメータ３０２、１つ以上の情報要素（ＩＥ；Ｉｎｆｏｒｍａｔｉｏｎ  Ｅｌｅｍｅｎｔ）３０３で構成される。ここで、前記情報要素３０３は、ユーザの応用目的によって定義され得るＡＳＩＥ（Ａｐｐｌｉｃａｔｉｏｎ  Ｓｐｅｃｉｆｉｃ  ＩＥ）である。このとき、前記情報要素３０３は１つ以上の情報要素のパケットであるが、図３に示すように便宜上通称して説明する。
【００５０】
前記情報要素３０３は、情報要素ＩＤ３０４、長さ３０５、ＡＳＩＥ  ＩＤ３０６、及びデータ３０７で構成される。前記情報要素３０３は、情報要素ＩＤ３０４値が２５５の場合、ＡＳＩＥとして認識される。ここで、前記ＡＳＩＥ  ＩＤ３０６は、無線オーディオ送信装置１００が、隣接無線オーディオ送信装置及び無線オーディオ受信装置２００により共通に認識され得る特有の値を有する。
【００５１】
前記データ３０７は、無線オーディオ送信装置１００の説明情報３０８及び１つ以上のオーディオチャネルごとの情報パケット３０９で構成される。前記説明情報３０８は、無線オーディオ受信装置２００において該当の無線オーディオ送信装置１００に対する人間が読むことができる説明を格納する。これを介して、ユーザは、無線オーディオ受信装置２００のディスプレイ部２０３を介して無線オーディオ送信装置１００を容易に認識して区分することができる。このとき、前記オーディオチャネルごとの情報パケット３０９は、１つ以上のオーディオチャネルごとの情報パケットであるが、図３に示すように便宜上通称して説明する。
【００５２】
前記オーディオチャネルごとの情報パケット３０９は、無線オーディオ送信装置１００に入力されるオーディオ信号が、いずれのオーディオソースから入力されるかを示すオーディオソース３１０、前記オーディオソースがいずれのチャネルを送信しているかを示すチャネル３１１、前記チャネル信号がどのようなデジタル圧縮方式を使用するかを示すコーデック３１２、前記チャネル信号のボリューム情報を示すボリューム３１３、及びいずれの伝送区間が使用されるかを示す予約伝送区間３１４の情報を含む。特に、前記予約伝送区間３１４は、便宜上、１つのＭＡＳ区間として表現される各々の伝送区間が、１つのビットで表現されるビットマップ形態で表示されることが好ましい。
【００５３】
一方、前記オーディオチャネルごとの情報パケット３０９の各項目は、ビーコンフレームの長さを最小化するため、別途に定義された符号化値を使用する。
【００５４】
前述したように、無線オーディオ送信装置１００は、ビーコンフレームを生成して送信することによって、オーディオ送信情報を１つ以上の無線オーディオ受信装置２００に伝達する。
【００５５】
図４は、本発明で使用されるオーディオソース情報リストに対する一実施形態の説明図である。
【００５６】
図４に示すように、本発明が適用されるオーディオソース情報リストの一部は、無線オーディオ受信装置２００において、ディスプレイ部２０３を介してユーザに提供される。前記オーディオソース情報リストは、無線オーディオ送信装置の情報４０１、オーディオソースの情報４０２、オーディオチャネルの情報４０３、オーディオ信号のコーデック情報４０４、オーディオ信号の出力ボリューム情報４０５、及び予約伝送区間の情報４０６を含み、各情報をテーブルで示す。
【００５７】
特に、前記情報の中の一部である前記オーディオソースの情報４０２、オーディオチャネルの情報４０３、及びオーディオ信号のコーデック情報４０４は、ディスプレイ部２０３に伝達される。
【００５８】
無線オーディオ送信装置の情報４０１は、現在３種類の異なった無線オーディオ送信装置１００（すなわち、第１装置、第２装置、第３装置）が存在することを示す。ここで、前記無線オーディオ送信装置の情報４０１は、各々のオーディオソースに対する製造社及びモデル名が使用されることが好ましい。
【００５９】
付加的に、前記無線オーディオ送信装置の目録情報４０１は、現在オーディオ信号を送信している無線オーディオ送信装置１００ごとに割り当てられた一意の識別子に応じて区別して表すことができる。
【００６０】
オーディオソースの情報４０２は、無線オーディオ送信装置１００にオーディオ信号を入力するオーディオソースの種類を示している。すなわち、前記第１装置は、オーディオソースのＤＶＤ及びＴＶからオーディオ信号が入力される。前記第２装置は、オーディオソースのＭＰ３プレーヤからオーディオ信号が入力される。前記第３装置は、オーディオソースの移動通信端末機からオーディオ信号が入力される。
【００６１】
オーディオチャネルの情報４０３は、オーディオソースに応じて送信中のオーディオチャネルを分離して示している。すなわち、前記第１装置において、オーディオソースがＤＶＤの場合は、５．１チャネルの代表的な例であって、左前方チャネル（Ｆｒｏｎｔ−Ｌｅｆｔ；ＦＬ）、右前方チャネル（Ｆｒｏｎｔ−Ｒｉｇｈｔ；ＦＲ）、左後方チャネル（Ｒｅａｒ−Ｌｅｆｔ；ＲＬ）、右後方チャネル（Ｒｅａｒ−Ｒｉｇｈｔ；ＲＲ）、サブウーファチャネル（Ｓｕｂ−Ｗｏｏｆｅｒ；ＳＷ）で示している。前記第１装置においてオーディオソースがＴＶの場合、及び第２装置においてオーディオソースがＭＰ３プレーヤの場合は、左チャネル（Ｌｅｆｔ；Ｌ）及び右チャネル（Ｒｉｇｈｔ；Ｒ）で示している。前記第３装置においてオーディオソースが移動通信端末機の場合は左チャネル（Ｌｅｆｔ；Ｌ）で示している。
【００６２】
オーディオ信号のコーデック情報４０４は、特定チャネルに対してどのような圧縮方式が使用されているかを示す。すなわち、前記第１装置においてオーディオソースがＤＶＤの場合は、該当のチャネルでオーディオコード−３方式（ＡＣ−３）が使用されている。前記第１装置においてオーディオソースがＴＶの場合は、該当の各チャネルで副帯域符号化方式ＳＢＣが使用されている。前記第２装置においてオーディオソースがＭＰ３プレーヤの場合は、該当のチャネルでＭＰＥＧ−３方式が使用されている。前記第３装置においてオーディオソースが移動通信端末機の場合は、該当のチャネルでパルス符号変調方式（ＰＣＭ）が使用されている。
【００６３】
オーディオ信号出力のボリューム情報４０５は、無線オーディオ送信装置１００で設定された該当チャネルのボリュームを示している。
【００６４】
予約伝送区間の情報４０６は、各々のオーディオチャネルが占有中の伝送区間を示している。
【００６５】
このように、前記無線オーディオ送信装置１００は、オーディオソース情報リストを各自のビーコンフレームに含めて送信する。
【００６６】
その後、前記無線オーディオ受信装置２００は、ユーザから選択された該当の無線オーディオ送信装置、該当のオーディオソース種類、該当のオーディオチャネルによってビーコンフレームを受信及び分析した後、オーディオソース情報リストを照会して該当の予約伝送区間でデジタルオーディオ信号を抽出する。その後、前記無線オーディオ受信装置２００は、抽出したデジタルオーディオ信号を該当のコーデックに合せてアナログオーディオ信号に変換し、スピーカを介して出力する。
【００６７】
図５は、本発明に係る超広帯域の無線通信方式を利用したオーディオ信号の送信方法に対する一実施形態のフローチャートである。
【００６８】
図５に示すように、無線オーディオ送信装置１００が駆動すると、予め超広帯域ネットワークが構成されているかを確認するため、超広帯域無線チャネルをスキャンする（ステップＳ５００）。このとき、前記無線オーディオ送信装置１００は、ステップ５００の間に他の超広帯域送信装置及び隣接無線オーディオ送信装置が送信する少なくとも１つ以上のビーコンフレームが受信されたかを確認する（ステップＳ５０１）。前記無線オーディオ送信装置１００は、前記ビーコンフレームを受信すると、現在、超広帯域ネットワークが構成されているかを確認し、他の超広帯域送信装置及び隣接無線オーディオ送信装置が存在しているかを確認する。
【００６９】
その後、無線オーディオ送信装置１００は、他の超広帯域送信装置及び隣接オーディオ送信装置からビーコンフレームを受信すると、前記ビーコンフレームを抽出及び分析し、オーディオソース情報リストの無線オーディオ送信装置／オーディオソース／オーディオチャネル／出力ボリューム／予約伝送区間に対する情報を収集する（ステップＳ５０２）。
【００７０】
その後、前記無線オーディオ送信装置１００は、前記オーディオソース情報リストのオーディオソース、オーディオチャネル、及び予約伝送区間に対する情報を用いて、それ自体のオーディオソースがオーディオ信号伝送のために使用し得るチャネルごとの利用可能伝送区間を算出する（ステップＳ５０３）。
【００７１】
前記無線オーディオ送信装置１００は、それ自体のオーディオソースがオーディオ信号を伝送するチャネルごとの利用可能伝送区間が算出されると、それ自体が有するオーディオソースの各チャネルにより使用される伝送区間を予約する（ステップＳ５０４）。
【００７２】
付加的に、前記無線オーディオ送信装置１００は、ステップＳ５０２において、隣接無線オーディオ送信装置のビーコンフレームが受信されなかった場合も、前記Ｓ５０４ステップのように、それ自体が有するオーディオソースの各チャネルにより使用される伝送区間を予約する。
【００７３】
その後、前記無線オーディオ送信装置１００は、ステップＳ５０４において生成されたオーディオソースのチャネル単位の予約伝送区間情報、現在入力されるオーディオ信号のオーディオソース情報、及びオーディオチャネル情報を用いてビーコンフレームを生成し、これを超広帯域無線通信の規格に応じて伝送する（ステップＳ５０５）。
【００７４】
その後、前記無線オーディオ送信装置１００は、あらかじめ構成された超広帯域ネットワークに接続されるか新規の超広帯域ネットワークを生成し、各オーディオソース及びオーディオチャネル単位で予約された伝送区間に応じて各々のオーディオ信号を伝送する（ステップＳ５０６）。
【００７５】
図６は、本発明に係る超広帯域の無線通信方式を利用したオーディオ信号の受信方法に対する一実施形態のフローチャートである。
【００７６】
図６に示すように、無線オーディオ受信装置２００が駆動されると、予め超広帯域ネットワークが構成されているかを確認するため、超広帯域無線チャネルをスキャンする（ステップＳ５５０）。このとき、前記無線オーディオ受信装置２００は、ステップ５００の間に無線オーディオ送信装置（以下、図５の無線オーディオ送信装置１００を通称して説明する）が送信する少なくとも１つ以上のビーコンフレームが受信されたかを確認する（ステップＳ５５１）。
【００７７】
前記無線オーディオ受信装置２００は、前記ビーコンフレームを受信することによって、現在超広帯域ネットワークが構成されているかを確認し、１つ以上の無線オーディオ送信装置１００が存在しているかを確認する。
【００７８】
その後、無線オーディオ受信装置２００は、隣接のオーディオ送信装置からビーコンフレームを受信すると、前記ビーコンフレームを抽出及び分析し、オーディオソース情報リストである無線オーディオ送信装置／オーディオソース／オーディオチャネル／出力ボリューム／予約伝送区間に対する情報を生成する（ステップＳ５５２）。
【００７９】
このとき、前記無線オーディオ受信装置２００は、ステップＳ５５２において生成されたオーディオソース情報リストをユーザに提供し、ユーザにより選択された特定の無線オーディオ送信装置のオーディオソース及びオーディオチャネルに対する情報が入力される（ステップＳ５５３）。
【００８０】
その後、前記無線オーディオ受信装置２００は、ユーザにより入力された特定の無線オーディオ送信装置のオーディオソース及びオーディオチャネルに対する情報に応じて前記オーディオソース及びオーディオチャネルを選択し、前記オーディオソースにより使用されるチャネルごとの予約伝送区間でデジタルオーディオ信号を受信及び抽出する（ステップＳ５５４）。
【００８１】
このとき、前記無線オーディオ受信装置２００は、ステップＳ５５４において抽出したデジタルオーディオ信号をアナログオーディオ信号に変換し、前記アナログオーディオ信号をスピーカを介して出力する（ステップＳ５５５、Ｓ５５６）。
【００８２】
前述したような本発明の方法は、プログラムとして具現され、コンピュータで読み込むことのできる形態で記録媒体（ＣＤ−ＲＯＭ、ＲＡＭ、ＲＯＭ、フロッピー（登録商標）ディスク、ハードディスク、光磁気ディスクなど）に保存され得る。このような過程は、本発明が属する技術分野において通常の知識を有する者が容易に実施できるため、これ以上の詳説はしない。
【００８３】
以上で説明した本発明は、本発明が属する技術分野において通常の知識を有する者であれば、本発明の技術的な思想を抜け出さない範囲内で様々な置換、変形及び変更が可能であるため、前述した実施形態及び添付された図面により限定されるのでない。
【図１】
2009543506.tif 000003
【図２】
2009543506.tif 000004
【図３】
2009543506.tif 000005
【図４】
2009543506.tif 000006
【図５】
2009543506.tif 000007
【図６】
2009543506.tif 000008
【国際調査報告】
2009543506.tif 000009
2009543506.tif 000010